(57)【要約】      （修正有）【課題】較正過程及び様々な温度レベルへの移動の間に、正しい時点で温度計測ユニットの表示手段に表示された温度値を読むために使用者が永続的に居る必要のない、改良された温度センサの較正設定を提供する。【解決手段】較正設定１は、温度センサ１０が挿入され、較正温度Ｔまで加熱される温度較正器１１、計測された温度値Ｔｍを表示する表示手段１４、表示手段１４の表示を記録可能なカメラユニット１５を有し、温度センサ１０を第１の較正温度に加熱し、表示手段１４の第１の温度値をカメラユニット１５によって検出し、温度較正器１１の記憶媒体１６に送信し、温度センサ１０を第２の較正温度に加熱し、表示手段１４の第２の温度値をカメラユニット１５によって検出し、温度較正器１１の記憶媒体１６に送信し、保存されている温度値を較正器指標表示器１８上に所望の温度とそれぞれ関連させて表示する。【選択図】図１
2020106532.tif 000002
【特許請求の範囲】
【請求項１】
較正設定（１）を使用して温度センサ（１０）を較正する方法であって、
較正設定（１）は、温度センサ（１０）が挿入されており、較正温度（Ｔ）まで加熱される温度較正器（１１）を有し、
較正設定（１）は、温度センサ（１０）が接続されている温度計測ユニット（１２）であって、計測された温度値（Ｔｍ）を温度計測ユニット（１２）の表示手段（１４）に表示する温度計測ユニット（１２）をさらに有し、
較正設定（１）は、表示手段（１４）上の表示を記録可能なカメラユニット（１５）をさらに有し、
該方法は、
温度センサ（１０）を第１の較正温度（Ｔ１）に加熱し、
温度計測ユニット（１２）の表示手段（１４）上の第１の温度値（Ｔｍ１）をカメラユニット（１５）によって検出し、
第１の温度値（Ｔｍ１）をカメラユニット（１５）から温度較正器（１１）の記憶媒体（１６）に送信し、
温度センサ（１０）を少なくとも第２の較正温度（Ｔ２）に加熱し、
温度計測ユニット（１２）の表示手段（１４）上の第２の温度値（Ｔｍ２）をカメラユニット（１５）によって検出し、
第２の温度値（Ｔｍ２）をカメラユニット（１５）から温度較正器（１１）の記憶媒体（１６）に送信し、
複数の検出され、保存されている温度値（Ｔｍ１、Ｔｍ２）を較正器指標表示器（１８）上に所望の温度（Ｔ１、Ｔ２）とそれぞれ関連させて表示する、
ステップを少なくとも有する、方法。
【請求項２】
複数の温度値（Ｔｍ１、Ｔｍ２）は、較正温度（Ｔ１、Ｔ２）に関連付けられて温度較正器（１１）の記憶媒体（１６）に保存されていることを特徴とする、請求項１に記載の方法。
【請求項３】
温度計測ユニット（１２）の表示手段（１４）の写真（２３）は、写真（２３）上に再生されている温度値（Ｔｍ１、Ｔｍ２）と共にカメラユニット（１５）によって記録されることを特徴とする、請求項１または２に記載の方法。
【請求項４】
複数の検出され、保存されている温度値（Ｔｍ１、Ｔｍ２）は、カメラユニット（１５）によって記録される写真（２３）によって、温度較正器（１１）の較正器指標表示器（１８）上に表示されることを特徴とする、請求項１から３のいずれか１項に記載の方法。
【請求項５】
温度較正器（１１）は、制御ユニット（１３）を有しており、温度センサ（１０）の第１、第２、及び／またはさらなる較正温度（Ｔ１、Ｔ２）への加熱及び複数の温度値（Ｔｍ１、Ｔｍ２）の検出は、制御ユニット（１３）によって、
温度較正器（１１）の較正温度（Ｔ）があらかじめ定められている較正温度（Ｔ１、Ｔ２）に実質的に静止態様で到達しているかどうかについて、較正温度センサを使用して較正温度（Ｔ）を確認し、
温度センサ（１０）の温度が較正温度（Ｔ１、Ｔ２）に遅れている態様で加熱される待ち時間（ｔｗ）を開始し、
保持時間（ｔｈ）を開始し、
保持時間（ｔｈ）中に制御ユニット（１３）によってカメラユニット（１５）を作動させることによって、温度計測ユニット（１２）の表示手段（１４）の少なくとも１個の写真（２３）を記録する、
部分ステップを使用して実行されることを特徴とする、請求項１から４のいずれか１項に記載の方法。
【請求項６】
検出され、表示手段（１４）に表示されている温度値（Ｔｍ１、Ｔｍ２）は、画像処理ユニット（１７）によって求められ、保存のために記憶媒体（１６）にデジタル値として出力される及び／または較正器指標表示器（１８）に表されることを特徴とする、請求項１から５のいずれか１項に記載の方法。
【請求項７】
温度計測ユニット（１２）の表示手段（１４）の１個及び２個以上の写真（２３）は、待ち時間（ｔｗ）中に保存され、温度値（Ｔｍ１、Ｔｍ２）は、画像処理ユニット（１７）によって求められ、制御ユニット（１３）に供給されることを特徴とする、請求項１から６のいずれか１項に記載の方法。
【請求項８】
待ち時間（ｔｗ）の最後は、温度値（Ｔｍ１、Ｔｍ２）を用いて制御ユニット（１３）によって決定され、そして、最後は、所望の温度（Ｔ１、Ｔ２）に対して温度値（Ｔｍ１、Ｔｍ２）が変化しないまたは変化が最小の時に到達したと仮定されることを特徴とする、請求項７に記載の方法。
【請求項９】
温度センサ（１０）を較正する較正設定（１）であって、温度センサ（１０）を挿入可能な温度較正器（１１）であって、較正温度（Ｔ）まで加熱可能な温度較正器（１１）を有しており、温度センサ（１０）が接続されている温度計測ユニット（１２）であって、計測された温度値（Ｔｍ１、Ｔｍ２）を温度計測ユニット（１２）の表示手段（１４）に表示可能な温度計測ユニット（１２）を有している較正設定（１）であって、
カメラユニット（１５）が設けられており、カメラユニット（１５）は表示手段（１４）上に表示されている温度値（Ｔｍ１、Ｔｍ２）を検出し、それを記憶媒体（１６）に送信するように構成されており、
記憶媒体（１６）は、温度較正器（１１）の部品であって、
温度較正器（１１）は、請求項１から８のいずれか１項に記載の方法を実行するように構成されている制御ユニット（１３）を有していることを特徴とする、較正設定（１０）。
【請求項１０】
記憶媒体（１６）は、温度較正器（１１）内に構成されており、カメラユニット（１５）は、検出された温度値（Ｔｍ１、Ｔｍ２）を温度較正器（１１）内の記憶媒体（１６）に送信することを特徴とする、請求項９に記載の構成設定（１）。
【請求項１１】
カメラユニット（１５）は、表示手段（１４）の写真（２３）及び／またはビデオを記録するように構成されており、温度較正器（１１）は、カメラインターフェイス（２４）を有していることを特徴とする、請求項９または１０に記載の構成設定（１）。
【請求項１２】
カメラユニット（１５）は、表示手段（１４）上に表示可能な温度値（Ｔｍ１、Ｔｍ２）を電子数値として求めることができる画像処理ユニット（１７）を有しており、電子数値はカメラユニット（１５）によって出力可能及び／または記憶媒体（１６）に送信可能なことを特徴とする、請求項９から１１のいずれか１項に記載の較正設定（１）。
【請求項１３】
温度較正器（１１）は、検出された写真（２３）をカメラユニット（１５）に表示するように構成されている較正器指標表示器（１８）を有していることを特徴とする、請求項９から１２のいずれか１項に記載の較正設定（１）。
【請求項１４】
カメラユニット（１５）は、スマートフォン（２０）または携帯タブレットＰＣのカメラユニットとして構成されていることを特徴とする、請求項９から１３のいずれか１項に記載の較正設定（１）。
【発明の詳細な説明】
【技術分野】
【０００１】
本発明は、温度センサを較正する較正設定に関する。該温度センサは、該温度センサを配置可能で、較正温度まで加熱可能な温度較正器と、該温度センサが接続される温度計測ユニットとを有し、該温度計測ユニットは計測された温度値を該温度計測ユニットの表示手段に表示可能である。
【背景技術】
【０００２】
特許文献１は、温度センサを配置可能で、温度センサを較正温度まで加熱可能な、温度較正器を例として開示している。温度センサを加熱するために、温度センサは較正装置内に挿入され、それから、較正装置は較正器ブロック内に受け入れられる。温度較正器は、温度センサの計測及び較正のための離散的な較正温度に移動することが可能で、温度センサが較正温度に適合するまで、温度を維持することが可能で、そのときに計測された温度が温度センサが接続されている温度計測ユニット上に表示され、使用者によって読まれ、読まれた温度値は温度較正器の較正温度と、例えば℃について、比較される。それから、対応する逸脱が較正値となる。
【０００３】
温度計測装置を較正する方法が、温度計測ユニット及び温度計測ユニットに接続可能な少なくとも１個の温度センサを有している特許文献２から知られており、通信チャネルが温度較正器と温度計測装置との間に設定されており、計測値が温度較正器から温度計測装置に通信チャネルによって送信されるようになっている。通信チャネルは、有線または無線とすることができる。通信チャネルが無線の場合、例えばＢｌｕｅｔｏｏｔｈ（登録商標）等の近距離通信を利用することができる。
【先行技術文献】
【特許文献】
【０００４】
【特許文献１】欧州特許出願公開第２  ７９３  ００８号明細書
【特許文献２】独国特許出願公開第１０  ２０１８  １２１  ０１５号明細書
【発明の概要】
【発明が解決しようとする課題】
【０００５】
温度較正器がそのような通信チャネルの設定に適合しなければならないばかりでなく、温度計測ユニットは通信チャネルを設定するために対応するインターフェイスを有していなければならず、インターフェイスは温度センサと共に実際の試験対象を構成しているのは不利である。温度較正器が、例えば実験室、製造工場、または他の施設の環境で、様々な温度センサ及び関連付けられている温度計測ユニットと共に使用される場合、各温度計測ユニットは、通信チャネルなどの設定に対して適切でなければならない、つまり、対応しているインターフェイスを有していなければならない。しかし、単純な、例えば、簡単な表示手段を有しているだけの手で持てる温度計測ユニットは、対応している設定を有している温度較正器で較正できなければならない。
【０００６】
広い温度範囲にわたって温度センサと併せて温度計測ユニットを較正するために、温度範囲は、一般に較正温度の複数の離散的なレベルを通して移動させなければならず、そこまで移動させなければならない較正温度の対応するレベルに到達するやいなや、使用者は温度計測ユニットの表示手段に表示されている温度値を読んで文書化しなければならないか、対応している較正器指標表示器を通して温度較正器にまたは温度較正器で入力しなければならない。その結果、使用者は、各較正設定に間に合うように少なくとも複数の時点で居なければならず、様々なレベルで計測された較正温度を文書化するために較正設定を監視しなければならず、それは時間がかかり、そのため複数の較正または特に低速で到達する多数の較正温度のレベルにおいて資源を拘束する。
【０００７】
本発明の目的は、さらなる使用のために温度計測ユニットに表示される較正値の送信を簡単にすることを含んでいる。ここでの目的は、温度計測ユニットと併せて温度センサの較正の役割があり、較正過程及び様々な温度レベルへの移動の間に、正しい時点で温度計測ユニットの表示手段に表示された温度値を読むために使用者が永続的に居る必要のない、改良された較正設定を特に含んでいる。
【課題を解決するための手段】
【０００８】
この目的は、請求項１の前提部による較正設定から及び請求項８の前提部による方法からそれぞれの特徴付ける特徴によって達成される。本発明の有利なさらならなる発展形態が、従属請求項に記載されている。
【０００９】
本発明は、カメラユニットが設けられており、表示手段上に表示されている温度値を検出し、それを記憶媒体に送信するように適合していることを教示する技術を有している。
【００１０】
本発明の中心的な考えは、カメラユニットを使用して表示手段、つまり、温度計測ユニットの、例えば表示器上に表示されている、１個または２個以上の温度値を読むことである。カメラユニットは、表示手段をカメラユニットによって記録し、それによって較正設定のさらなる特徴が構成できるように、この目的のために配置するだけでよい。記憶媒体は、ここでは、カメラユニットの部品とするか、例えば記憶ユニットの形態で、別個に形成することができる。
【００１１】
記憶媒体は温度較正器内に構成されており、カメラユニットが検出した温度値を温度較正器内の記憶媒体に送信することは、特に有利である。記憶媒体が温度較正器に組み込まれている場合、カメラユニットは表示手段によって記録されている温度値を温度較正器にいわば直接送信する。温度値は、それに応じて、温度較正器内に、特に記憶媒体内に記憶することができる。構成温度の様々なレベルに対して複数の温度値が読まれた場合、複数の温度値も記憶媒体内に、つまり温度較正器内に記憶することができる。温度値の記憶は、特に温度センサ及び／または温度計測ユニットと関連付け、特に温度較正器内での温度センサまたは温度計測ユニットの較正履歴を文書化することができる。
【００１２】
カメラユニットは、特に有利には、温度値を、１個または２個以上の写真または１個または２個以上のビデオによって記憶媒体に送信できるように、表示手段の写真を記録する及びまたはビデオを記録するように構成される。したがって、例えば、較正温度の第１、第２、またはさらなるレベルに到達したときに較正中に写真を撮ることが可能で、温度値を写真から、また同様にビデオから読み取れるように表示手段を写真上で検出することが可能で、写真及び／またはビデオも、記憶媒体への送信後に、特に到達した較正温度のレベルに対応させて例えば較正器の指標表示部に表示することができる。他方、較正値を簡単な態様で読んだり求めたりすることがしたがって可能で、温度計測ユニット及び／または温度センサと関連付けて文書化することができる。
【００１３】
カメラユニットが温度較正器に接続されている場合、例えば、特に、必要な時点で例えば簡単なシーケンスとして写真またはビデオを記録するだけで、信号を温度較正器からカメラユニットへ出力することができる。例えば、この時点は、較正器温度のレベルに到達したとき、または保持時間後に保持されている時である。
【００１４】
本発明のさらなる発展の枠組み内で、カメラユニットが電子カメラ及び特に追加で表示手段に表示されている温度値を電子数値として求めることができる画像処理ユニットを有し、この電子数値をカメラユニットによって出力し、特に記憶媒体に送信することが可能である。
【００１５】
画像処理ユニットは、ここでは、特に温度較正器内に一体化されている記憶媒体の部品とすることができる。例えば、温度計測ユニット上の表示器である表示手段を電子カメラによって写真に撮るかビデオシーケンスを作り、その後、表示手段に表示されている数値を画像処理ユニットを介して検出し、記憶媒体に対応して送信することができる。既に行われている画像処理ユニットによる温度の数値レベルの検出も追加で考慮可能で、記録されている写真または記録されているビデオシーケンスの送信に特に包括的文書化の一部としての送信も、同時に考慮可能である。
【００１６】
温度較正器は、典型的には、較正器指標表示器を有しており、さらなる実施態様において写真及び／またはビデオ及び／または特に検出された温度値が数値の形態でそれ自体が既知の較正器の指標表示部に本発明に従って表示される。表示は、例えば、到達した較正温度が写真または写真から既に認識されている温度値の観察者に対して同時に表示され、較正値を直接得ることができるように、特に較正温度に対して相関的に行うことができる。
【００１７】
カメラユニットを、スマートフォンまたは携帯タブレットＰＣのカメラユニットとして構成することも考えられる。最も単純な場合では、ユーザはスマートフォンを温度計測ユニットの表示手段の前に配置し、特に温度較正器と共に記憶媒体との有線または無線通信をアプリを介して設定することが可能で、アプリはスマートフォン上のカメラを介して必要なときに、特に、較正温度のレベルに到達したときに写真を生成し、写真は記憶媒体に最終的に送信される。写真または画像処理ユニットによって読まれた温度の数値は、較正器指標表示器上にその後表示される。スマートフォンと温度較正器との間の通信は、Ｂｌｕｅｔｏｏｔｈ（登録商標）または他の近距離通信を介して行われる。
【００１８】
本発明は、温度センサを較正する較正設定を動作させる方法をさらに対象としており、較正設定は、温度センサが配置されており、較正温度まで加熱される温度較正器を有し、較正設定は、温度センサが接続されており、計測された温度値を温度計測ユニットの表示手段に表示する温度計測ユニットをさらに有している。本方法は、カメラユニットがまず設けられ、温度計測ユニットの表示手段上の温度値がカメラユニットによって以降で検出され、温度値がカメラユニットから記憶媒体へ以降で送信されることを特に特徴としている。
【００１９】
複数の温度値をカメラユニットによって特に検出することが可能で、温度値は、温度較正器によって到達した所望の温度に関連している時間と関連付けられている態様で記憶媒体に保存される。したがって、較正設定の操作者は本方法を開始し、較正設定を放置することが可能で；最大較正温度に到達した後、つまり較正温度の最高レベルへの到達時に、較正を終了し、操作者が較正中に較正設定の世話をする必要なしに、使用者は記憶媒体の温度レベルのすべての温度にアクセスすることができる。較正は、特に、適用環境において多数の較正を実行しなければならないときに、本発明の方法によって、いかなる要員資源がさらに拘束されることはない。
【００２０】
本方法は、表示手段の写真及び／またはビデオがカメラユニットによって記録され、写真及びビデオは、温度較正器によって到達した較正温度のレベルと時間に関して関連付けられて記憶手段に保存されることをさらに特徴としている。温度較正器によって変更された較正温度を、温度較正器の較正器指標表示器によって、表示手段の温度値及び／または写真及び／またはビデオと時間に関して関連付けて表示することもできる。較正されている温度計測ユニットに関連して特に保存されている包括的な文書化を記録されている写真またはビデオによって温度較正器内または周辺位置で特に行うことができる。
【００２１】
最後に、本発明によって、表示手段上に表示され検出されている温度値が画像処理ユニットによってさらに求められ、デジタル値として記憶媒体に記憶用に出力される及び／または較正器指標表示器上に表示されるようにさらになっている。記録されている写真及び／またはビデオは、文書化のために温度計測ユニットと関連して記憶媒体に、例えば、追加で記憶することができる。
【００２２】
本発明を改良するさらなる手段が、図面を参照して本発明の好ましい実施形態の説明と共に以下でより詳細に示される。以下が図示されている。
【図面の簡単な説明】
【００２３】
【図１】本発明のカメラユニットが一体化されている温度センサを較正する較正設定である。
【図２】温度計測ユニットの表示手段を記録するカメラユニットを温度較正器と共に示している詳細図である。
【図３】時間の経過と共に較正温度の様々な温度レベルを示している図である。
【発明を実施するための形態】
【００２４】
図１は、温度センサ１０が挿入される温度較正器１１を有している較正設定１の模式図を示している。温度較正器１１は、較正の開始後、較正温度にするために温度センサ１０を加熱する。温度センサ１０は、例えば手持ち可能な単純な温度計測ユニット１２に接続されており、温度計測ユニット１２は、温度値１３が表示されている表示手段１４を有している。ずれなしに、温度較正器１１の到達較正温度の温度レベルに対応している温度値１３が表示手段１４上に表示されている。
【００２５】
温度計測ユニット１２は、例として手持ち可能な小さい装置として構成されており、構成のために複数の温度レベルに連続して到達しなければならない。カメラユニット１５が、較正の時間の正しい点での単純な態様で表示温度値１３を有している表示手段１４を読むように本発明によって設けられており、それには何らかの時間がかかる可能性がある。実施形態のカメラユニット１５は、電子カメラ１９及び画像処理ユニット１７を有している。
【００２６】
カメラユニット１５は、表示手段１４が電子カメラ１９によって撮像つまりフィルムに記録できるように位置している。写真またはビデオを、画像処理ユニット１７によってその後評価することが可能で、温度値１３を記憶媒体１６に送信することができる。実施形態は、温度較正器１１の部品として記憶媒体１６を有しており、記憶媒体１６は、例えば温度較正器１１に一体化されている。図示しているケーブル接続は、選択肢に過ぎないことを理解すべきであって、カメラユニット１５によって検出された温度値１３の送信は、特に温度較正器１１内またはその位置での構成における記憶媒体１６に無線でも送信可能である。
【００２７】
図２は、温度値１３がその上に表示される表示手段１４を備えている温度計測ユニット１２の模式図を示している。カメラユニット１５は、例としてそれ自体が既知の電子カメラ１９を有しているスマートフォン２０で構成されている。スマートフォン２０の表示器２２を介して動作可能で、本発明の方法の性能に対して特に設計されている１つのアプリケーションソフトウェア２１がスマートフォン２０にインストールされている。
【００２８】
スマートフォン２０は、表示手段１４上の温度値１３がスマートフォン２０上の電子カメラ１９によって撮影つまりフィルムに記録できるように温度計測ユニット１２に相対的に配置されている。温度値１３は、有線または無線の態様で記憶媒体１６にその後送信され、記憶媒体１６は、例えば温度較正器１１内に一体化されて位置している。
【００２９】
温度較正器１１は、複数の写真２３が表示され、例として、詳細を示していない態様で温度値を読むことができる較正器指標表示器１８を有している。温度較正器１１の指標表示器１８上に表示されている写真２３に関連して、操作者が構成温度のレベルＩ、ＩＩ、及び／またはＩＩＩと表示手段１４上の温度値１３との間に逸脱が存在しているかどうかを較正の実行後に指標表示器１８を介して読むだけですむように、それぞれの較正温度Ｉ、ＩＩ、及びＩＩＩは、関連して表示される。対応する修正を、較正の一部として最後に実行できる。表示されている写真２３を、特に較正温度の到達したレベルＩ、ＩＩ、ＩＩＩ及び、例えば、較正の日に相関的に、それぞれの温度計測ユニット１２に関連している履歴を長期間に文書化するために記憶媒体１６にさらに保存することもできる。温度値１３の計測された履歴は、例えば、写真２３を介して後で以降の温度計測ユニット１２の較正時に再びアクセスすることができる。必須の利点は、到達レベルの時間の短い点で、表示手段１４上の計測温度値１３を最終的に読むだけですむようにするために、較正温度の要求されたレベルに到達するまで操作者が較正の全期間の間、待たないですむことである。
【００３０】
図３は、秒で表されている期間の間の℃で表されている較正温度Ｔの図を示している。図示している曲線は、較正温度Ｔの複数のレベルＩ、ＩＩ、及びＩＩＩに階段状の態様で移動している実線で較正温度を示している。破線は、温度計測ユニット１２の温度値１３を示しており、温度値１３の範囲が較正温度の範囲から下向きに逸脱している逸脱を例として示している。
【００３１】
本発明は、その構成において、以上で具体的に説明した好ましい実施形態に限定されない。むしろ、概ね異なるように構成されている実施形態によって説明した解決策を同様に利用する多数の変形例が考えられる。請求項、明細書、または図面を基にしている任意の構造上の詳細または空間配置を含んでいる全ての特徴及び／または利点は、それ自体および最も変更されている組み合わせの両方において、本発明に不可欠とすることができる。
【符号の説明】
【００３２】
１  較正設定
１０  温度計測ユニット
１１  温度較正器
１２  温度計測ユニット
１３  制御ユニット
１４  表示手段
１５  カメラユニット
１６  記憶媒体
１７  画像処理ユニット
１８  較正器指標表示器
１９  電子カメラ
２０  スマートフォン
２１  アプリケーションソフトウェア（アプリ）
２２  表示器
２３  写真
２４  カメラインターフェイス
Ｔ  ℃で表されている較正温度
Ｔ１  ℃で表されている較正温度
Ｔ２  ℃で表されている較正温度
Ｔｍ  ℃で表されている温度値
Ｔｍ１  ℃で表されている温度値
Ｔｍ２  ℃で表されている温度値
ｔ  秒ｓで表されている時間
Ｉ  較正温度の第１のレベル
ＩＩ  較正温度の第２のレベル
ＩＩＩ  較正温度の第３のレベル
【図１】
2020106532.tif 000003
【図２】
2020106532.tif 000004
【図３】
2020106532.tif 000005
【外国語明細書】
2020106532000001.pdf